(57)【要約】【課題】磁気ディスク装置において、安価な構造でフォームファクタを守りながら、磁気ヘッドに対するシールド機能を向上すること。【解決手段】磁気ディスク装置５０は、磁気ディスク３と、情報を記録又は再生する磁気ヘッドと、磁気ヘッドを支持する磁気ヘッド支持機構４と、磁気ヘッドを磁気ディスク３の半径方向に移動して位置決めする位置決め機構６と、非磁性材料で構成された筐体１と、磁性材料で構成されたシールド部材１０とを備える。筐体１は、磁気ディスク３、磁気ヘッド、磁気ヘッド支持機構４、位置決め機構６及びシールド部材１０を内部に収納している。シールド部材１０は、磁気ヘッドの上方に位置し且つ磁気ヘッドの移動範囲にわたって延伸する上部シールド１１と、磁気ヘッドの存在する面とは反対側に位置し且つ磁気ヘッドの移動範囲にわたって延伸する下部シールドと、上部シールドの外周側端部と下部シールドの外周側端部とを磁気ディスク３の外縁近傍で連結する連結部１３とを備える。【選択図】図１
2006079744.tif 000002
【特許請求の範囲】
【請求項１】
回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッドを前記磁気ディスクの半径方向に移動して位置決めする位置決め機構と、
非磁性材料で構成されたベース及びカバーからなる筐体と、
前記磁気ヘッドを磁気シールドするために磁性材料で構成されたシールド部材とを備え、
筐体は、前記磁気ディスク、前記磁気ヘッド、前記磁気ヘッド支持機構、前記位置決め機構及び前記シールド部材を内部に収納し、
前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備えた
ことを特徴とする磁気ディスク装置。
【請求項２】
垂直磁気記録方式で情報を記録する回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッドを前記磁気ディスクの半径方向に移動して位置決めする位置決め機構と、
非磁性材料で構成されたベース及びカバーからなる筐体と、
前記磁気ヘッドを磁気シールドするために磁性材料で構成されたシールド部材とを備え、
筐体は、前記磁気ディスク、前記磁気ヘッド、前記磁気ヘッド支持機構、前記位置決め機構及び前記シールド部材を内部に収納し、
前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、
前記上部シールドは、前記磁気ヘッドの上方に位置し且つ前記磁気ヘッドの移動範囲にわたって延伸するルーフ部と、前記ルーフ部よりも磁気ディスク面に近接し且つ前記磁気ヘッドの移動範囲にわたって延伸する段差部とを一体的に備えた
ことを特徴とする磁気ディスク装置。
【請求項３】
請求項２の磁気ディスク装置において、前記段差部は前記磁気ヘッドの端面の側方に位置するように磁気ディスク面に近接されたことを特徴とする磁気ディスク装置。
【請求項４】
請求項３の磁気ディスク装置において、前記段差部は前記ルーフ部より厚肉に形成され、前記連結部は、前記段差部に連結すると共に、前記ルーフ部より厚肉に形成されたことを特徴とする磁気ディスク装置。
【請求項５】
請求項３の磁気ディスク装置において、前記段差部は前記ルーフ部と同じ厚さで形成されたことを特徴とする磁気ディスク装置。
【請求項６】
垂直磁気記録方式で情報を記録する回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッドを前記磁気ディスクの半径方向に移動して位置決めする位置決め機構と、
前記磁気ディスクの回転停止時に前記磁気ヘッドが前記磁気ディスクの外に退避するように前記磁気ディスの外縁近傍に設けられたランプと、
非磁性材料で構成されたベース及びカバーからなる筐体と、
前記磁気ヘッドを磁気シールドするために磁性材料で構成されたシールド部材とを備え、
筐体は、前記磁気ディスク、前記磁気ヘッド、前記磁気ヘッド支持機構及び前記シールド部材を内部に収納し、
前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、
前記連結部は、前記ランプと前記ベースの側壁と前記磁気ディスクの外縁とで囲まれたデッドスペースに配置された
ことを特徴とする磁気ディスク装置。
【請求項７】
請求項６の磁気ディスク装置において、前記上部シールド、前記下部シールド及び前記連結部は前記ランプに対応する側面に切欠き部を備え、前記磁気ヘッドは前記切欠き部を通して前記ランプに出入りすることを特徴とする磁気ディスク装置。
【請求項８】
垂直磁気記録方式で情報を記録する回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッドを前記磁気ディスクの半径方向に移動して位置決めする位置決め機構と、
非磁性材料で構成されたベース及びカバーからなる筐体と、
前記磁気ヘッドを磁気シールドするために磁性材料で構成されたシールド部材とを備え、
筐体は、前記磁気ディスク、前記磁気ヘッド、前記磁気ヘッド支持機構、前記位置決め機構及び前記シールド部材を内部に収納し、
前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、
前記連結部は前記磁気ディスクの外縁近傍で周方向に延在したシュラウド部材と兼用した
ことを特徴とする磁気ディスク装置。
【請求項９】
請求項８の磁気ディスク装置において、前記磁気ディスクを回転するためのスピンドル機構を中央部に備え、前記シュラウド部材は前記磁気ヘッドを中心として半周にわたって設けられたことを特徴とする磁気ディスク装置。
【請求項１０】
垂直磁気記録方式で情報を記録する回転円板型の磁気ディスクと、
前記磁気ディスクを支持して回転するスピンドル機構と、
前記磁気ディスクに情報を記録又は前記磁気ディスクから情報を再生する磁気ヘッドと、
前記磁気ヘッドを支持する磁気ヘッド支持機構と、
前記磁気ヘッドを前記磁気ディスクの半径方向に移動して位置決めする位置決め機構と、
非磁性材料で構成されたベース及びカバーからなる筐体と、
前記磁気ヘッドを磁気シールドするために磁性材料で構成されたシールド部材とを備え、
筐体は、前記磁気ディスク、前記磁気ヘッド、前記磁気ヘッド支持機構、前記位置決め機構及び前記シールド部材を内部に収納し、
前記シールド部材は、前記磁気ヘッドの上方に配置したシールドディスクと、前記磁気ディスクの下面側にコーティングした薄膜磁性材と、前記シールドディスクと前記薄膜磁性材とを接続する前記スピンドル機構の一部とから構成した
ことを特徴とする磁気ディスク装置。
【発明の詳細な説明】
【技術分野】
【０００１】
本発明は、磁気ディスク装置に係わり、特に磁気ディスクに垂直磁気記録方式で情報を記録する磁気ディスク装置に好適なものである。
【背景技術】
【０００２】
垂直磁気記録方式を採用する磁気ディスク装置では、外部から磁界が印加された場合には、磁気ヘッドの構成上、外部磁界を磁気ヘッドが主磁極に集中させ、ディスク上に記録されたデータを破壊してしまうという問題が生じる可能性がある。磁気ディスク装置に加わる外部の浮遊磁界の強さそのものを小さくすることは出来ないので、外部磁界に対するシールド効果を発生する（外部磁界の強さを弱める）機能を磁気ディスク装置に持たせることが必要である。
【０００３】
そこで、従来の磁気ディスク装置として、特開２００３−７７２６６号公報（特許文献１）に示されたものが案出されている。この特許文献１の磁気ディスク装置は、垂直磁気記録方式で情報を記録する回転円板型の磁気ディスクと、磁気ディスクに情報を記録又は磁気ディスクから情報を再生する磁気ヘッドと、磁気ヘッドを磁気ディスクの半径方向に移動可能に支持するディスクドライブ機構と、ベース及びカバーからなる筐体と、磁気ヘッドを磁気シールドするために磁性材料で構成されたシールド部材とを備えて構成されている。
【０００４】
そして、特許文献１の図１〜図１６に係わる実施形態では、磁気ディスク、磁気ヘッド及びディスクドライブ機構を筐体の内部に収納し、磁気ヘッドの移動範囲の上方及び下方を含む筐体外部の上面、下面及び側面にわたってシールド部材を設けている（従来技術１）。
【０００５】
また、特許文献１の図１７に係わる実施形態では、磁気ディスク、磁気ヘッド、ディスクドライブ機構及びシールド部材を筐体の内部に収納し、磁気ヘッドに対向するベース部分及びカバー部分にのみシールド部材を設けている（従来技術２）。
【０００６】
さらに、特許文献１の図１８に係わる実施形態では、磁気ディスク、磁気ヘッド及びディスクドライブ機構を筐体の内部に収納し、前記筐体の一部を切欠いてその部分にシールド部材を設置し、そのシールド部材の先端側を磁気ディスクの両側に延伸し、その端面を磁気ヘッドの端面に対向するように位置させている（従来技術３）。
【０００７】
さらに、特許文献１の図１９に係わる実施形態では、磁気ディスク、磁気ヘッド及びディスクドライブ機構を筐体の内部に収納し、前記筐体の外面に凹部を形成し、その凹部にシールド部材を設置し、そのシールド部材の先端側を磁気ディスクの両側に延伸し、その端部を磁気ヘッドの端部に対応するよう位置させている（従来技術４）。
【０００８】
【特許文献１】特開２００３−７７２６６号公報
【発明の開示】
【発明が解決しようとする課題】
【０００９】
しかし、従来技術１では、磁気ヘッドから遠く離れた筐体外部にシールド部材を設けているため、シールド機能を十分に発揮できないと共に、シールド部材の分だけ外形寸法が大きくなってしまうという問題があった。この種の磁気ディスク装置では、２．５型（モバイル型）及び３．５型などのように大きさが制約されており、磁気シールド機能を持たせた場合にも、所定の大きさ（フォームファクタ）内に収まることが重要である。
【００１０】
また、従来技術２では、磁気ヘッドに対向するベース部分及びカバー部分にのみシールド部材を設けているため、シールド機能を十分に発揮できないという問題があった。
【００１１】
さらには、従来技術３または４では、筐体の一部を切欠き、または凹部を設けてその部分にシールド部材を設置するようにしているため、特別な形状の筐体を準備すると共にシールド部材に筐体としての機能を持たせる必要があり、コストアップを招くという問題があった。
【００１２】
そして、従来技術１〜４では、磁気ヘッドに対する横方向（側面方向）からの外部磁界に対するシールド機能を十分に発揮できるものではなかった。
【００１３】
本発明の目的は、安価な構造でフォームファクタを守りながら、磁気ヘッドに対するシールド機能を向上できる磁気ディスク装置を提供することにある。
【課題を解決するための手段】
【００１４】
前記目的を達成するために、本発明は、回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッドを前記磁気ディスクの半径方向に移動して位置決めする位置決め機構と、非磁性材料で構成されたベース及びカバーからなる筐体と、前記磁気ヘッドを磁気シールドするために磁性材料で構成されたシールド部材とを備え、筐体は、前記磁気ディスク、前記磁気ヘッド、前記磁気ヘッド支持機構、前記位置決め機構及び前記シールド部材を内部に収納し、前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備えた構成にしたことにある。
【００１５】
前記目的を達成するための本発明の第１の態様は、垂直磁気記録方式で情報を記録する回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッドを前記磁気ディスクの半径方向に移動して位置決めする位置決め機構と、非磁性材料で構成されたベース及びカバーからなる筐体と、前記磁気ヘッドを磁気シールドするために磁性材料で構成されたシールド部材とを備え、筐体は、前記磁気ディスク、前記磁気ヘッド、前記磁気ヘッド支持機構、前記位置決め機構及び前記シールド部材を内部に収納し、前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、前記上部シールドは、前記磁気ヘッドの上方に位置し且つ前記磁気ヘッドの移動範囲にわたって延伸するルーフ部と、前記ルーフ部よりも磁気ディスク面に近接し且つ前記磁気ヘッドの移動範囲にわたって延伸する段差部とを一体的に備えた構成にしたことにある。
【００１６】
係る本発明の第１の態様において、より好ましい具体的な構成例は次の通りである。
（１）前記段差部は前記磁気ヘッドの端面の側方に位置するように磁気ディスク面に近接されたこと。
（２）前記（１）に加えて、前記段差部は前記ルーフ部より厚肉に形成され、前記連結部は、前記段差部に連結すると共に、前記ルーフ部より厚肉に形成されたこと。
（３）前記（１）に加えて、前記段差部は前記ルーフ部と同じ厚さで形成されたこと。
【００１７】
前記目的をさらに効果的に達成するための本発明の第２の態様は、垂直磁気記録方式で情報を記録する回転円板型の磁気ディスクと、前記磁気ディスクに情報を記録又は前記磁気ディスクから情報を再生する磁気ヘッドと、前記磁気ヘッドを支持する磁気ヘッド支持機構と、
前記磁気ヘッドを前記磁気ディスクの半径方向に移動して位置決めする位置決め機構と、前記磁気ディスクの回転停止時に前記磁気ヘッドが前記磁気ディスクの外に退避するように前記磁気ディスの外縁近傍に設けられたランプと、非磁性材料で構成されたベース及びカバーからなる筐体と、前記磁気ヘッドを磁気シールドするために磁性材料で構成されたシールド部材とを備え、筐体は、前記磁気ディスク、前記磁気ヘッド、前記磁気ヘッド支持機構、前記位置決め機構及び前記シールド部材を内部に収納し、前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、前記連結部は、前記ランプと前記ベースの側壁と前記磁気ディスクの外縁とで囲まれたデッドスペースに配置された構成にしたことにある。
【００１８】
係る本発明の第２の態様において、より好ましい具体的な構成例は次の通りである。
（１）前記上部シールド、前記下部シールド及び前記連結部は前記ランプに対応する側面に切欠き部を備え、前記磁気ヘッドは前記切欠き部を通して前記ランプに出入りすること。
【００１９】
前記目的をさらに効果的に達成するための本発明の第３の態様は、垂直磁気記録方式で情報を記録する回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッドを前記磁気ディスクの半径方向に移動して位置決めする位置決め機構と、非磁性材料で構成されたベース及びカバーからなる筐体と、前記磁気ヘッドを磁気シールドするために磁性材料で構成されたシールド部材とを備え、筐体は、前記磁気ディスク、前記磁気ヘッド、前記磁気ヘッド支持機構及び前記シールド部材を内部に収納し、前記シールド部材は、前記磁気ヘッドの上方に位置し且つ前記磁気ヘッドの移動範囲にわたって延伸する上部シールドと、前記磁気ヘッドの存在する面とは反対側に位置し且つ前記磁気ヘッドの移動範囲にわたって延伸する下部シールドと、前記上部シールドの外周側端部と前記下部シールドの外周側端部とを前記磁気ディスクの外縁近傍で連結する連結部とを備え、前記連結部は前記磁気ディスクの外縁近傍で周方向に延在したシュラウド部材と兼用した構成にしたことにある。
【００２０】
係る本発明の第３の態様において、より好ましい具体的な構成例は次の通りである。
（１）前記磁気ディスクを回転するためのスピンドル機構を中央部に備え、前記シュラウド部材は前記磁気ヘッドを中心として半周にわたって設けられたこと。
【００２１】
前記目的をさらに効果的に達成するための本発明の第４の態様は、垂直磁気記録方式で情報を記録する回転円板型の磁気ディスクと、前記磁気ディスクを支持して回転するスピンドル機構と、前記磁気ディスクに情報を記録又は前記磁気ディスクから情報を再生する磁気ヘッドと、前記磁気ヘッドを支持する磁気ヘッド支持機構と、前記磁気ヘッドを前記磁気ディスクの半径方向に移動して位置決めする位置決め機構と、非磁性材料で構成されたベース及びカバーからなる筐体と、前記磁気ヘッドを磁気シールドするために磁性材料で構成されたシールド部材とを備え、筐体は、前記磁気ディスク、前記磁気ヘッド、前記磁気ヘッド支持機構、前記位置決め機構及び前記シールド部材を内部に収納し、前記シールド部材は、前記磁気ヘッドの上方に配置したシールドディスクと、前記磁気ディスクの下面側にコーティングした薄膜磁性材と、前記シールドディスクと前記薄膜磁性材とを接続する前記スピンドル機構の一部とから構成した構成にしたことにある。
【発明の効果】
【００２２】
本発明によれば、安価な構造でフォームファクタを守りながら、磁気ヘッドに対するシールド機能を向上できる磁気ディスク装置を得ることができる。
【発明を実施するための最良の形態】
【００２３】
以下、本発明の複数の実施例について図を用いて説明する。各実施例の図における同一符号は同一物または相当物を示す。なお、それぞれの実施例を必要に応じて適宜に組み合わせることにより、より効果的なものとすることができる。
（第１実施例）
本発明の第１実施例の磁気ディスク装置を図１から図８を用いて説明する。
【００２４】
本実施例の磁気ディスク装置５０の全体について図１〜図３を参照しながら説明する。図１は本実施例の磁気ディスク装置５０の斜視図、図２は図１のＡ−Ａ断面図、図３は図１のＢ方向から見た断面図である。なお、図１の磁気ディスク装置５０は、筐体１のカバー１ｂを取外した状態を示す。
【００２５】
磁気ディスク装置５０は、スピンドル機構２、磁気ディスク３、磁気ヘッド支持機構４、位置決め機構６、シールド部材１０及びランプ３０を筐体１の内部に密閉して収納している。
【００２６】
筐体１は、ランチボックス型のベース１ａと、そのベース１ａの上面開口を塞ぐカバー１ｂとから構成されている。ベース１ａ及びカバー１ｂは、一般的な磁気ディスク装置の筐体と同様な構造及び非磁性材料（例えばアルミニウムなど）で構成されている。ベース１ａは磁気ディスク３を収納するシュラウド面２１を形成している。このシュラウド面２１は全周の一部が欠損された円筒面となっており、この欠損部を通して磁気ヘッドスライダ９及び磁気ヘッド支持機構４がディスク面側に出入りする。
【００２７】
スピンドル機構２は、磁気ディスク３を回転するためのものであり、ベース１ａの底面中央部に取付けられ、駆動部と回転部とから構成されている。
【００２８】
磁気ディスク３は、垂直磁気記録方式で情報を環状のトラックに記録する回転円板型の磁気ディスクで構成され、スピンドル機構２の回転軸部に固定されて高速で回転される。この環状のトラックは磁気ディスク３の内周から外周にわたって多数設けられ、素子部である磁気ヘッド９ａが各トラックに移動され位置決めされて記録または再生動作が行なわれる。磁気ディスク３は１枚で構成され、磁気ディスク３の表面側（カバー側）と裏面側（ベース側）に磁気ヘッド９ａが各１個づつ搭載されている。本実施例は、磁気ディスク３の外径が６５ｍｍ、内径が２４ｍｍで、一般に２．５型磁気ディスク装置と呼ばれる大きさの磁気ディスク装置である。
【００２９】
磁気ヘッド支持機構４は、磁気ディスク３に情報を記録又は磁気ディスク３から情報を再生する磁気ヘッド９ａを支持するためのものであり、図２に示すように、磁気ヘッド９ａを搭載して磁気ディスク３上を浮上する磁気ヘッドスライダ９と、この磁気ヘッドスライダ９を先端側に支持したサスペンション４１とから構成されている。
【００３０】
磁気ヘッドスライダ９は、磁気ヘッド９ａを先端側に搭載し、磁気ディスク３の回転に伴って生ずる空気流によってディスク面から浮上するよう構成されている。磁気ヘッドスライダ９（磁気ヘッド９ａ）は、磁気ディスク３の半径方向に移動可能に支持されている。また、サスペンション４１は、磁気ヘッドスライダ９の動きを拘束しないようにピボット支持すると共に、磁気ヘッドスライダ９をディスク面に押し付ける押付け荷重を磁気ヘッドスライダ９に与えている。サスペンション４１の根元側（すなわち、磁気ヘッド支持機構４の根元側）はアーム５に連結されている。
【００３１】
なお、本実施例では、磁気ヘッド支持機構４は磁気ディスク３の両側に設置されているが、磁気ディスク３の一側にのみに設置されていてもよい。
【００３２】
位置決め機構６は、アーム５、ボイスコイルモータ７及びピボットベアリング８を備えて構成されており、アーム５をボイスコイルモータ７でピボットベアリング８を中心に回転（揺動）させ、磁気ヘッド９ａを磁気ディスク３の所定トラックに位置決めするものである。
【００３３】
ランプ３０は、磁気ディスク３の回転停止時（アンロード時）に磁気ヘッド９ａを磁気ディスク３の外に退避しておくためのものであり、磁気ディスク３の外縁近傍でシュラウド２１の欠損部に位置して設けられている。この退避時には、磁気ヘッド支持機構４の先端に設けられたタブ４２（図４参照）がこのランプ３０に接触して滑り上がることにより、磁気ヘッド９ａも磁気ディスク３の表面から引き剥がされる。また、磁気ディスク３の回転開始時（ロード時）には、これとは逆に、磁気ディスク３の外に退避している磁気ヘッド支持機構４のタブ４２がランプ３０を滑り降りることにより、磁気ヘッド９ａをディスク面に降ろす。この機構は、２．５型磁気ディスク装置などに広く使われており、ロード・アンロード機構と呼ばれている。ランプ３０を磁気ディスク３の外縁近傍に設けるために、上部シールド１１、下部シールド１２及び連結部１３の一部を切欠いてシールド部材１０に切欠き部１５が設けられている。
【００３４】
次に、シールド部材１０に関して、図１〜図５を参照しながら説明する。図４は図２の要部拡大図、図５は図２のシールド部材１０の単体状態の一部拡大斜視図である。なお、図４及び図５には、各部の寸法も示してある。
【００３５】
シールド部材１０は、磁気ヘッド９ａを磁気シールドするために、磁性材料で構成されている。このシールド部材１０は、磁気ヘッド９ａの上方に位置し且つ磁気ヘッド９ａの移動範囲にわたって延伸する上部シールド１１と、磁気ヘッド９ａの存在する面とは反対側に位置し且つ磁気ヘッド９ａの移動範囲にわたって延伸する下部シールド１２と、上部シールド１１の外周側端部と下部シールド１２の外周側端部とを磁気ディスク３の外縁近傍で連結する連結部１３と、ベース１ａの内面に取付けられた取付け部１４とを一体的に備えて構成されている。この一体的には、各構成要素が一つの部材で構成されたものを含むと共に、各構成要素が別部材で固着されたものも含む。シールド部材１０は横から見て略コ字状に形成されており、上下シールド１１、１２は磁気ディスク３を挟み込むように設けられている。
【００３６】
上部シールド１１は、ディスク上側の磁気ヘッド９ａの上方に位置し且つ磁気ヘッド９ａの移動範囲にわたって延伸するルーフ部１１ａと、ルーフ部１１ａよりもディスク面に近接して位置し且つ磁気ヘッド９ａの移動範囲にわたって延伸する段差部１１ｂとを一体的に備えて構成されている。下部シールド１２は、ディスク下側の磁気ヘッド９ａの下方に位置し且つ磁気ヘッド９ａの移動範囲にわたって延伸するルーフ部１２ａと、ルーフ部１２ａよりもディスク面に近接して位置し且つ磁気ヘッド９ａの移動範囲にわたって延伸する段差部１２ｂとを一体的に備えて構成されている。
【００３７】
具体的には、段差部１１ｂはルーフ部１１ａより厚肉に形成され、上部シールド１１の断面形状は概略Ｌ字型となっている。これは、概略Ｌ字型にすることにより、磁気ヘッドスライダ９の端面に設けられた磁気ヘッド９ａに近接してシールド部材１０を設けることを可能とし、外部磁界に対するシールド効果を増加させることを目的としている。換言すれば、磁気ヘッドスライダ９のサスペンション４１の取付け側にルーフ部１１ａを設け、磁気ヘッドスライダ９の後端側に磁気ヘッド９ａを覆うように、ディスク面に近接する段差部１１ｂを設けている。段差部１１ｂにより、特に横方向から外部磁界に対するシールド効果を増加させることが可能である。また、段差部１１ｂを厚肉とすることにより、段差部１１ｂの磁路抵抗を低減でき、これによりルーフ部１１ａに印加された磁束を磁路抵抗の小さい段差部１１ｂを通して連結部１３に導くことができる。この点からも、シールド効果を増大することができる。
【００３８】
なお、下部シールド１２の構成も、上部シールド１１と同じ形状であり、ルーフ部１１ａと段差部１１ｂから構成されている。段差部１１ｂは磁気ヘッド９ａを覆うようにディスク３表面に向かって延伸されている。これによって、下部シールド１２は、上部シールド１１と同様の機能を奏するので、重複する説明を省略する。
【００３９】
上部シールド１１及び下部シールド１２は磁気ディスク３の内周から外周に延伸し、連結部１３によりディスク外周側の端面の近くで連結されている。図３に示すように、段差シールド１１ａと磁気ディスク３との隙間から、磁気ヘッドスライダ９の磁気ヘッド９ａが見える状態に上部シールド１１が配置されている。
【００４０】
連結部１３は、厚肉の段差部１１ｂに連結すると共に、ルーフ部１１ａより厚肉に形成されている。これにより、連結部１３の磁路抵抗を低減できるので、上部シールド１１または下部シールド１２に印加された磁束を磁路抵抗の小さい連結部１３を通して上部シールド１１または下部シールド１２に導くことができる。この点からもシールド効果を高めることができる。また、連結部１３は、ランプ３０とベース１ａの側壁と磁気ディスク３の外縁とで囲まれたデッドスペースに配置されている。これによって、磁気ディスク装置５０のフォームファクタを守りながらシールド部材１０を筐体１内に収納することができる。
【００４１】
連結部１３のベース側には、ベース１ａへの取付け部１４が突出して設けられている。本実施例では、連結部１３に取付け部１４を設けているが、この取付け部１４をなくし、下シールド１２をベース１ａに直接取付けるようにしてもよい。このようにすれば、磁気ディスク装置５０の高さ（厚み）を低くして小型化を図ることができると共に、下シールド１２の厚さを厚くしてより高いシールド効果を得ることができる。
【００４２】
上部シールド１１のルーフ部１１ａは、図４に示すように、その先端が磁気ヘッドスライダ９の上まで延伸し、磁気ヘッドスライダ９の後方で段差部１１ｂと連結している。段差部１１ｂの磁気ディスク対向面はディスク面に延伸している。
【００４３】
上部ルーフ部１１ａの長さ（３．６ｍｍ）は、サスペンション４１の先端に設けられたロード・アンロード用タブ４２の長さと磁気ヘッドスライダ９の長さとの合計より大きくなっており、上部ルーフ部１１ａで磁気ヘッドスライダ９の上方を全て覆ってもタブ４２が段差部１１ｂに当らないように設定している。
【００４４】
また、ルーフ部１１ａ（サスペンション対向面）と磁気ヘッドスライダ９の背面（サスペンション取付け面）との距離（０．７ｍｍ）は、サスペンション４がルーフ部１１ａに当ることを避けるために必要な寸法に設定されている。また、ルーフ部１１ａの厚さ（０．８ｍｍ）及び段差部１１ｂの厚さ（１．５ｍｍ）は、カバー１ｂに接触することなく２．５型の磁気ディスク装置の中に収まる厚さであり、且つ、シールド効果を高めるようになるべく厚く設定されている。段差部１１ｂとディスク面の距離（０．３ｍｍ）をディスク面から磁気ヘッドスライダ９が浮上する距離より大きくなっている。これは、外部衝撃により磁気ディスク３が変形しても段差部１１ｂに接触しないようにするためである。なお、本実施例では、磁気ヘッドスライダ９のサイズは、所謂、ピコサイズ（１．２５ｍｍ×１ｍｍ×０．３ｍｍ）のスライダを想定している。しかし、本発明は任意のサイズのスライダでも適用可能である。
【００４５】
段差部１１ｂの長さ（７．２ｍｍ）は、図５に示すように、段差部１１ｂの端面に連結部１３を設けるための場所の確保と、上部シールド１１の剛性の確保とが可能な寸法に設定されている。また、連結部１３の側面１３ｃ、上部シールド１１の側面１１ｃ、及び下部シールドの側面１２ｃは、平面から見て切欠き部１５（図１参照）を構成するように形成されている。この切欠き部１５は、シールド部材１０の各部１１、１２、１３の機能を確保しつつ、ロード・アンロード用のランプ３０がディスク面の上方に延伸して設けることができるようにするためのものである。この切欠き部１５により、ランプ３０とシールド部材１０との接触を回避することができる。シールド部材１０、磁気ヘッド支持機構４、磁気ディスク３、及びロード・アンロード用のランプ３０の位置関係は、図１に示すようになっている。つまり、シールド部材１０は、磁気ヘッドスライダ側の連結部１３、上部シールド１１、及び下部シールド１２の外周側で且つ磁気ヘッド側が切り欠かれたオープンな構造となっており、ランプ３０に近接して配置されている。
【００４６】
次に、本実施例のシールド部材１０におけるシールド効果について図６Ａ及び図６Ｂを参照しながら説明する。図６Ａは段差付きモデルの説明図、図６Ｂは同段差付きモデルによるシールド効果を示す特性図である。
【００４７】
段差付きモデルは、本実施例のシールド部材１０と同じ構造であり、ルーフ部１１ａ及び段差部１１ｂを有する上部シールド１１と、ルーフ部１２ａ及び段差部１２ｂを有する下部シールド１２と、これらを連結する連結部１３とからなっている。段差付きモデルによる計算は、シールド部材１０全体で行ったが、上部シールド１１と下部シールド１２は対称構造であるため、図６Ａには、上部シールド１１、連結部１３の上部、及び磁気ディスク３の各面の計算メッシュのみを示してある。
【００４８】
かかる段付きモデルにおいて、磁気ディスク３の表面に直角方向の外部磁界が入った場合の磁気ヘッド位置での磁界強度を計算した。外部磁界の強度は３００ガウスとし、磁束の向きはディスク面に直角方向とした。ディスク面に直角方向とするのは、記録面に及ぼす影響が最も大きい方向だからである。その計算結果を図６Ｂに示す。図６Ｂは磁気ヘッド９ａのディスク半径位置と磁界強度の関係を示す。上部シールド１１は、ディスクの半径位置で、１３ｍｍから２９ｍｍまで延伸している。半径位置が３０ｍｍ以上は、シールド部材１０がない領域である。磁気ディスク３の表面からの高さとして、ディスク面から０．１５ｍｍと０．３ｍｍの位置で計算を行った。これは、磁気ヘッドスライダ９の磁気ヘッド９ａの高さが一般に０．３ｍｍであるため、それと同じ高さとその半分の高さの影響を評価するために選んだものである。
【００４９】
図６Ｂから明らかなように、外部磁界が３００ガウスで有るにも拘わらず、段付きモデルのシールド部材１０により、磁気ディスク３の内周側で約１００ガウスまで低減され、また、外周側で約７０ガウスまで低減されていることが分かる。ディスク面からの高さの違いは、あまり見られなかった。このように、本実施例によれば、磁気ヘッドの位置で、外部磁界の強度を約１／３以下に低減することが可能である。
【００５０】
なお、半径位置が３０ｍｍ以上になると、磁界強度が急激に大きくなるが、これは上部シールド１１の外に出るため、つまり、切欠き部１５によりシールド効果が低減するためである。ここでは、３０ｍｍ以上の半径位置を磁気記録エリアとして使用しないので、問題にならない。もし、もっと広い範囲（外周）を使いたい場合には、切り欠き部を小さくするなどの対応をすればよい。
【００５１】
ここで、シールド部材１０の材質は、磁性材料であれば、基本的にどんなものでもよい。本計算例では、ボイスコイルモータ７に使われている鉄（ＳＰＣＣ）を仮定して、その物性値を用いて計算した。その時の飽和磁束密度は２．２テスラ（Ｔ）とした。その他の材料として、腐食に強いステンレス（例えばＳＵＳ４３０）等がよい。鉄を用いる場合には、腐食、発塵を防ぐためのコーティングなどを施すことが望ましい。これは、磁気ディスク装置５０内に実装されるために、錆、発塵により、それが磁気ヘッドスライダ９と磁気ディスク３の間に噛み込まれて、磁気ヘッドスライダ９の浮上特性を悪化させる事を防ぐためである。
【００５２】
次に、本実施例のシールド効果のメカニズムを図５を参照しながら説明する。
【００５３】
ディスク面に垂直な外部磁界が、例えば、ディスク面の上方から下方に流れる磁界の場合には、磁束１００は、図５にその流れの概念図で示すように、上部シールド１１に集められ、連結部１３を経て、下部シールド１２に流れ、下部シールド１２から外部に戻される。これから明らかなように、外部磁界の磁束は、シールド部材１０により挟み込まれた磁気ヘッド３を回避するように磁束が流れるので、磁界が垂直記録用磁気ヘッド９ａに集められ、ディスク面の情報を消去、或は、ディスク面に誤データを書き込む等の誤動作を防止できる。そして、ディスク面に垂直な外部磁界がディスク面の下方から上方に流れる磁界の場合には、磁束がシールド部材１０に逆に流れることにより、同様なシールド効果を奏する。
【００５４】
次に、図６の段差付きシールド部材と同じ外径寸法で段差のないシールド部材の場合におけるシールド効果について図７Ａ及び図７Ｂを参照しながら説明する。図７Ａは段差なしモデルの説明図、図７Ｂは同段差なしモデルによるシールド効果を示す特性図である。図７のシールド部材１０は、図６のシールド部材１０の段差部がなく、ルーフ部１１ａと同じ厚さの上部シールド１１が図６のシールド部材１０の上部シールド１１と同じ大きさで作られている。また、下部シールド１２も同様に作られている。計算条件は、図６のそれと同じである。
【００５５】
図７Ｂから明らかなように、段差なしシールド部材１０では、磁界強度は、ディスク内周で約１６０ガウスであり、外周で約１３０ガウスである。このことから、段差なしのシールド部材１０でも、外部磁界を約５０％〜６０％低減できることが分かる。この観点から、本発明は、段差部がなくても有効であるが、段差部を設けることにより、そのシールド効果がより有効であることがわかる。
【００５６】
次に、上部シールド１１の段差部１１ｂとディスク面との距離を近接させたシールド部材１０について図８及び図９を参照しながら説明する。図８は本実施例のシールド部材１０の変形例を示す説明図、図９は図８のシールド部材１０によるシールド効果を示す特性図である。なお、図９Ａは距離Ｌｇが０ｍｍ、図９Ｂは距離Ｌｇが０．６ｍｍの場合の特性図である。
【００５７】
図８に示すシールド部材１０は、段差部１１ｂとディスク面の距離Ｌｇが磁気ヘッドスライダ９の厚さＬｓより小さくし、段差部１１ｂが磁気ヘッド端面の側方に位置するようにディスク面に近接している。すなわち、次の式（１）の関係としたものである。
Ｌｓ−Ｌｇ＝Ｌｄ＞０    （１）
なお、図４及び図６の上部シールド１１は、段差部１１ｂとディスク面の距離Ｌｇが０．３ｍｍで、磁気ヘッドスライダ９の厚さＬｓの０．３ｍｍと同じであり、段差部１１ｂが磁気ヘッド端面の側方までディスク面に近接しているとは言えなかった。
【００５８】
図８に示すように、磁気ヘッド素子９ａは磁気ヘッドスライダ９の端面（ディスク面に直角面）に設けられているために、段差部１１ｂとディスク面との距離Ｌｇを小さくすればするほど磁気ヘッド素子部９ａを囲うようになり、シールド効果を増加させることが出来る。また、ディスク面に斜めに入射する外部磁界、或は、ディスク面に並行に近い角度で入射する外部磁界に対しても、直接磁束が磁気ヘッド素子部にあたる事が少なくなるので、シールド効果の向上が期待できる。このため、より強力な斜め磁界、平行磁界に対しても、記録・再生の誤動作が少なくなり、装置の信頼性を向上することが可能となる。一方、距離Ｌｇが小さすぎると、外部衝撃により磁気ディスク３が変形して段差部１１ｂと接触する可能性がある。このため、外部衝撃の大きさに対応して、適切な距離Ｌｇを確保することが必用である。
【００５９】
図９に、距離Ｌｇが０ｍｍと０．６ｍｍの場合の計算による磁界強度を示す。距離Ｌｇが０ｍｍの場合には、つまり、段差部１１ｂをディスク表面までに延伸した場合には、距離Ｌｇが０．３ｍｍの場合（図４及び図６の場合）に比べて外部磁界を約３０％改善できる。一方、距離Ｌｇを０．６ｍｍにした場合には、距離Ｌｇが０．３ｍｍの場合に比べて約２０％悪化する。このため、シールド効果を向上させる観点から、段差部１１ｂはなるべくディスク面に近接させることが望ましい。
【００６０】
以上述べたように、本実施例では、ディスク面に直角に入射する外部磁界を大幅に低減することができる。このため、垂直記録方式の磁気ディスク装置５０においても、外部磁界により、記録・再生の誤動作をすることがなく、信頼性が高く、高記録密度（大容量）の磁気ディスク装置５０を実現することが可能となる。また、本実施例では、磁気ディスク装置５０の内部に、カバー１ｂ、ベース１ａ等の主要構成部材を変更することなく、シールド部材１０を設けている。このため、フォームファクタを守りながら、シールド部材１０が設けられ、装置の大型化、部品交換による、生産性の低下（コスト上昇）を招くことがない。また、シールド部材１０の形状としては、磁気ヘッド１０ａを囲うように（磁気ディスク面に突出するように）段差を設けると、そのシールド効果を格段に向上させることが可能となる。また、ディスク面に斜め或は平行に入射する磁界に対するシールド効果の向上も期待できる。
（第２実施例）
次に、本発明の第２実施例について図１０を用いて説明する。図１０は本発明の第２実施例の磁気ディスク装置の要部断面図である。この第２実施例は、次に述べる点で第１実施例と相違するものであり、その他の点については第１実施例と基本的には同一である。
【００６１】
この第２実施例と第１実施例との違いは、磁気ヘッド９が磁気ディスク３の上面に１つだけである点と、シールド部材１０が一枚の板を板金などでプレスして成形されている点と、下部シールド１２がディスク面に並行に設けられている点である。また、第１実施例と同様に、下部シールド１２はベース１ａに直接取り付けてもよい。これにより、シールド部材１０の加工が容易となり、生産性を向上させることが出来る。また、第２実施例のように、磁気ヘッド９がディスクの上面に１つだけの場合には、下部シールド１２は平面にした方がシールド部材１０を小さくすることが可能となる。これにより、磁気ディスク装置５０の厚さをさらに薄くすることが可能となる。第２実施例においても、外部磁界に対してシールド効果が得られ、外部磁界による記録・再生時の誤動作を防止できるという利点がある。また、フォームファクタを守りながらシールド部材１０を設置することが可能である。さらに、生産性の向上が可能であるとともに、シールド部材１０を薄型化できるので、装置のさらなる薄型化ができる。
（第３実施例）
次に、本発明の第３実施例について図１１を用いて説明する。図１１Ａは本発明の第３実施例の磁気ディスク装置の平面図、図１１Ｂは図１１ＡのＣ−Ｃ断面図である。この第３実施例は、次に述べる点で第１実施例と相違するものであり、その他の点については第１実施例と基本的には同一である。
【００６２】
第３実施例と第１実施例の違いは、磁気ヘッド９が磁気ディスク３の上面に１つだけである点と、上部シールド１１と下部シールド１２とが並行平板である点と、第１実施例の連結部１３がディスク周りのシュラウド部材２２と兼用になっている点である。第３実施例では、上下シールド１１、１２の一端が、磁気ディスク３の外延の近傍で、シュラウド部材２２に連接されており、シュラウド部材２２は磁性材料で構成されている。すなわち、シールド部材１０は上部シールド１１、下部シールド１２及びシュラウド部材２２で構成されている。
【００６３】
図１１Ａに示すように、シュラウド部材２２は、磁気ディスク３の外縁に配置されており、磁気ヘッド９ａが存在する側の磁気ディスク３の約半周（約１８０度）を囲うように設けられている。シュラウド部材２２とディスク外縁との距離は、磁気ディスク３の流力振動を低減する観点からは狭いほうが良いが、加工精度のばらつきから両者が接触するのを避けるために適度な隙間を設ける必要がある。第３実施例では、この隙間を約０．６ｍｍとしている。磁気ディスク３の流力振動の低減は、回転速度の速い３．５型磁気ディスク装置などで、より重要な課題となっている。シュラウド部材２２を外部からディスク装置５０へ取付け可能とする事により、より高精度にシュラウド部材２２をディスク端面に近接させることが可能となる。これにより、磁気ディスク３の流力振動を低減する効果も容易に実現できるという、利点もある。第３実施例は、２．５型磁気ディスク装置だけでなく、３．５型磁気ディスク装置にも適用できることは言うまでもない。
【００６４】
図１１Ｂから分かるように、ディスク上面からシュラウド部材２２の上端（自由端は）までの高さＬｓｈは、磁気ヘッドスライダ９の厚さＬｓよりも大きくなっている（Ｌｓｈ＞Ｌｓ）。但し、磁気ヘッド支持機構４及びアーム５が磁気ディスク３の外縁より外方に移動する部分においては、ディスク上面からシュラウド部材２２の上端までの高さは、磁気ヘッドスライダ９の厚さよりも小さくなっている。
【００６５】
第３実施例では、上部シールド１１と下部シールド１２との連結部をシュラウド部材２２で兼用し、そのシュラウド部材２２を磁気ヘッド９ａを中心にしてほぼ磁気ディスク３の半周に設けている。また、ディスク上面からシュラウド部材２２の端面の高さＬｓｈを磁気ヘッドスライダ９の厚さＬｓよりも大きくすることにより、ディスク面にほぼ平行な外部磁界が入力された場合にも、シュラウド部材２２の高さが磁気ヘッドスライダ９よりも高いので、磁束１００は、シュラウド部材２２の一端から入力し、シュラウド部材２２内を通過し、シュラウド部材２２の他端に導かれる。図１１Ｂに磁束１００の流れの模式図を示す。このように、磁束が、磁気ヘッドを回避して流れるので、ディスク面に平行な磁界に関しても、シールド効果を期待することができる。
【００６６】
なお、第３実施例では、Ｌｓｈ＞Ｌｓとしたが、両者が略同じでも、シールドの効果は低下するもののシールド効果を奏する。
【００６７】
以上述べたように、第３実施例で、ディスク面に平行な外部磁界に置かれた場合でも、シールド効果を期待することが出来、また、シュラウド部材２２を連結部することにより、部品点数の削減、また、シュラウド部材２２による流力振動を低減することができる。そして、第３実施例においても、第１実施例と同様に、ディスク面に垂直に入射する外部磁界に対してシールド効果がある。
【００６８】
第３実施例では、磁気ディスク３が停止している時には、磁気ヘッドスライダ９がディスク面に接触し、回転時には、ディスク面上に浮上する、所謂コンタクト・スタート・ストップ方式（ＣＳＳ方式と呼ぶ）を採用している。ＣＳＳ方式は、３．５型装置などで、広く使われている。このため、シールド部材１０にロード・アンロード用のランプを挿入するための切り欠き部を設けていないが、ロード・アンロード方式にも、本方式を適用できることは言うまでもない。
【００６９】
また、本実施例では、シュラウド部材２２を約半周としたのは、シュラウド部材２２と反対側から、ディスク面に並行に入射する磁束に対しては、磁気ヘッド３がスピンドル機構２の影になり、磁性材から構成されるスピンドル機構２によるシールド効果を期待できるためである。しかし、シュラウド部材２２はアーム５の挿入部を除いて全周とした方が、より高いシールド効果（全角度からの磁束に対するシールド効果）を期待できるのは言うまでもない。また、シュラウド部材２２は半周よりも狭くても、ディスク面に直角方向の磁界に対しては、シールド効果がある。
（第４実施例）
次に、本発明の第４実施例について図１２を用いて説明する。図１２は本発明の第４実施例の磁気ディスク装置の要部断面図である。この第４実施例は、次に述べる点で第１実施例と相違するものであり、その他の点については第１実施例と基本的には同一である。
【００７０】
第４実施例と第１実施例の違いは、第１実施例の上部シールド１１の代わりを磁気ヘッドスライダ９の上方に配置したシールドディスク２３とした点と、第１実施例の下部シールド１２の代わりに磁気ディスク３の下面側にコーティングした薄膜磁性材２４とした点と、第１実施例の連結部１２の代わりをスピンドル機構２とした点である。スピンドル機構２は回転軸２５、スペーサ２６、及びクランプ２７を備え、これらは磁性材料で構成されている。
【００７１】
シールドディスク２３は、鉄、ステンレスなどの磁性材料であればよい。また、シールドディスク２３は垂直用磁気ディスクと形状を一致させておくことにより、磁気ディスク装置５０の構成を基本的に変えることなく、シールド効果を実現することが出来る。上部シールドはクランプ２７で保持され、クランプ２７はネジ（図示せず）でスピンドル機構２に固定されている。また、薄膜磁性材２４としては、垂直用ディスクの下地膜として使われている軟磁性体（具体的には、鉄など）が用いられている。回転軸２５及びスペーサ２６は、シールドディスク２３と薄膜磁性材２４とに磁気的に接続され、シールドディスク２３と薄膜磁性材２４との連結部を構成している。
【００７２】
第４実施例では、上下のディスク２３、３をシールドとして用いているので、上部、下部のシールドの間隔を狭めることが可能となる。さらに、連結部を磁性特性を持つスペーサとすることにより、新たな部品を設ける必用がない。さらに、第１実施例に比べ、上部と下部のシールドを大きくすることができるので、ディスク面に斜め、或は平行な磁束についてもシールド効果を得ることが可能となる。また、第４実施例においても、第１実施例と同様に、ディスク面に直角方向の外部磁界に対してシールド効果を有する。
【図面の簡単な説明】
【００７３】
【図１】本発明の第１実施例の磁気ディスク装置の斜視図である。
【図２】図１のＡ−Ａ断面図である。
【図３】図１のＢ方向から見た断面図である。
【図４】図２の要部拡大図である。
【図５】図２のシールド部材の単体状態の一部拡大斜視図である。
【図６Ａ】第１実施例における段差付きモデルの説明図である。
【図６Ｂ】同段差付きモデルによるシールド効果を示す特性図である。
【図７Ａ】第１実施例の変形例である段差なしモデルの説明図である。
【図７Ｂ】同段差なしモデルによるシールド効果を示す特性図である。
【図８】第１実施例のシールド部材の変形例を示す説明図である。
【図９Ａ】図８のシールド部材によるシールド効果を示す特性図である。
【図９Ｂ】図８のシールド部材による異なる設置距離のシールド効果を示す特性図である。
【図１０】本発明の第２実施例の磁気ディスク装置の要部断面図である。
【図１１Ａ】本発明の第３実施例の磁気ディスク装置の平面図である。
【図１１Ｂ】図１１ＡのＣ−Ｃ断面図である。
【図１２】本発明の第４実施例の磁気ディスク装置の要部断面図である。
【符号の説明】
【００７４】
１…筐体、１ａ…ベース、１ｂ…カバー、２…スピンドル機構、３…磁気ディスク、４…磁気ヘッド支持機構、５…アーム、６…位置決め機構、７…ボイスコイルモータ、８…ピボットベアリング、９…磁気ヘッドスライダ、９ａ…磁気ヘッド（素子部）、１０…シールド部材、１１…上部シールド、１１ａ…ルーフ部、１１ｂ…段差部、１２…下部シールド、１３…連結部、１４…取付け部、１５…切欠き部、２１…シュラウド面、２２…シュラウド部材、２３…シールドディスク、２４…薄膜磁性材、２５…スペーサ、３０…ランプ、４１…サスペンション、４２…ロード・アンロード用タブ、５０…磁気ディスク装置、１００…磁束。
【図１】
2006079744.tif 000003
【図２】
2006079744.tif 000004
【図３】
2006079744.tif 000005
【図４】
2006079744.tif 000006
【図５】
2006079744.tif 000007
【図６Ａ】
2006079744.tif 000008
【図６Ｂ】
2006079744.tif 000009
【図７Ａ】
2006079744.tif 000010
【図７Ｂ】
2006079744.tif 000011
【図８】
2006079744.tif 000012
【図９Ａ】
2006079744.tif 000013
【図９Ｂ】
2006079744.tif 000014
【図１０】
2006079744.tif 000015
【図１１Ａ】
2006079744.tif 000016
【図１１Ｂ】
2006079744.tif 000017
【図１２】
2006079744.tif 000018